(57)【特許請求の範囲】
【請求項１】
略直方体形状をなし、棒状喫煙物品の束と、この束を包み込むインナラッパとからなるインナパックと、
前記インナパックの上面を除き、前記インナパックを囲む略直方体形状をなし、前記インナパックの長手方向に沿って延びる４つのコーナ縁を含むエンベロープと
を備え、
前記エンベロープは、前記インナパックの回りにアウタラッパを折り込むことでそれぞれ形成され、前記エンベロープの横断面形状を８角にする前記コーナ縁としての傾斜縁と、前記インナパックの底面を覆う矩形のアウタ底とを含み、
前記アウタ底面は、
その両端に位置付けられた一対のエンドフラップと、
その両側縁に沿って延び、前記エンドフラップに順次重ね合わされた台形形状の一対のサイドフラップと、
前記各傾斜縁からそれぞれ延び、前記エンドフラップと前記サイドフラップとの間に部分的に挟み込まれ、且つ、前記サイドフラップから露出する折込みタックと
を有することを特徴とする棒状喫煙物品のソフトパッケージ。
【請求項２】
前記インナパックは、前記インナラッパの折込みによりそれぞれ形成され、前記エンベロープの前記傾斜縁に対応した傾斜縁を有し、これら傾斜縁が前記インナパックの横断面を前記エンベロープと同様な８角形状にしていることを特徴とする請求項１に記載のソフトパッケージ。
【請求項３】
前記インナパックの前記上面及び前記底面は、前記エンベロープの前記アウタ底面と同様な折込み形態によりそれぞれ形成され、前記アウタ底面の前記折込みタックに対応する折込みタックをそれぞれ有することを特徴とする請求項２に記載のソフトパッケージ。
【請求項４】
棒状喫煙物品の束を収容した略直方体形状のインナパックと、アウタラッパの折込みにより形成され、前記インナパックの上面を除き、前記インナパックを囲む略直方体形状をなし、前記インナパックの長手方向に延びる４つのコーナ縁を含むエンベロープとを備えたシガレットパッケージにおいて、
前記アウタラッパは、
前記インナパックの長さに相当する長さ及び前記インナパックの回りに巻付け可能な幅を有する矩形のメインセクションと、
前記メインセクションに折込み線により区画され、前記メインセクションの幅方向に互いに離間し、且つ、前記メインセクションが前記インナパックの回りに巻付けられたときには前記折込み線に沿って折り曲げられることにより、前記各コーナ縁としての傾斜縁をそれぞれ形成するための４個の帯領域と、
前記メインセクションに対して、前記メインセクションの長さ方向片側に隣接し且つ前記メインセクションと同一の幅を有するサブセクションであって、前記メインセクションが前記インナパックの回りに巻付けられた後、前記インナパックの底面を覆うアウタ底面を形成するためのサブセクションと
を含み、
前記アウタ底面は、
その両端に位置付けられた一対のエンドフラップと、
その両側縁に沿って延び、前記エンドフラップに順次重ね合わされた台形形状の一対のサイドフラップと、
前記各帯領域にそれぞれ割り当てられた折込み線群と
を含み、
前記サブセクションが折り込まれたとき、前記各折込み線群は、対応する前記傾斜縁からそれぞれ延び、前記エンドフラップと前記サイドフラップとの間に部分的に挟み込まれ且つ前記サイドフラップから露出する折込みタックを形成することを特徴とするシガレットパッケージのアウタラッパ。
【請求項５】
前記各折込み線群は、対応する前記帯領域の各折込み線から前記サブセクションの外側縁まで分岐して延びる２対の山折り線及び谷折り線を有し、各対の山折り線及び谷折り線はＶ字形を形成し、且つ、これら２本ずつの山折り線及び谷折り線は前記サブセクションの幅方向に交互に配置されていることを特徴とする請求項４に記載のシガレットパッケージのアウタラッパ。
【請求項６】
インナラッパにより棒状喫煙物品の束を包み込んで得られた略直方体形状のインナパックと、アウタラッパの折込みにより形成され、前記インナパックの上面を除き、前記インナパックを囲む略直方体形状をなし、前記インナパックの長手方向に延びる４つの傾斜縁を含むエンベロープとを備えたシガレットパッケージにおいて、
前記インナラッパは、
前記棒状物品の長さに相当する長さ及び前記束の回りに巻付け可能な幅を有する矩形のメインセクションと、
前記メインセクションに折込み線により区画され、前記メインセクションの幅方向に互いに離間し、且つ、前記メインセクションが前記束の回りに巻付けられたときには前記折込み線に沿って折り曲げられることにより、前記エンベロープの前記各傾斜縁に対応した傾斜縁をそれぞれ形成するための４個の帯領域と、
前記メインセクションに対して、前記メインセクションの長さ方向両側に隣接し且つ前記メインセクションと同一の幅を有する一対のサブセクションであって、前記メインセクションが前記束の回りに巻付けられた後、前記束の両端面を覆う上面及び底面を形成するための一対のサブセクションと
を含み、
前記上面及び底面の各々は、その両端に位置付けられた一対のエンドフラップと、その両側縁に沿って延び、前記エンドフラップに順次重ね合わされた台形形状の一対のサイドフラップとを有することを特徴とするシガレットパッケージのインナラッパ。
【請求項７】
前記各サブサクションは、前記各帯領域にそれぞれ割り当てられた折込み線群を含み、前記サブセクションが折り込まれたとき、前記各折込み線群は、対応する前記傾斜縁からそれぞれ延び、前記エンドフラップと前記サイドフラップとの間に部分的に挟み込まれ且つ前記サイドフラップから露出する折込みタックを形成することを特徴とする請求項６に記載のシガレットパッケージのインナラッパ。
【請求項８】
前記各折込み線群は、対応する前記帯領域の各折込み線から前記サブセクションの外側縁まで分岐して延びる２対の山折り線及び谷折り線を有し、各対の山折り線及び谷折り線はＶ字形を形成し、且つ、これら２本ずつの山折り線及び谷折り線は前記サブセクションの幅方向に交互に配置されていることを特徴とする請求項７に記載のシガレットパッケージのインナラッパ。
【発明の詳細な説明】
【技術分野】
【０００１】
本発明は、フィルタシガレット等の棒状喫煙物品のソフトパッケージ及びこのパッケージを形成するためのインナ及びアウタラッパに関する。
【背景技術】
【０００２】
フィルタシガレットのパッケージにはソフトパッケージやハードパッケージが知られており、ハードパッケージはいわゆるヒンジリッドパッケージと称されている。【０００３】
これらパッケージはその内部にインナパックを収容し、インナパックはフィルタシガレットの束をインナラッパにより包み込んで形成されている。ソフト及びハードパッケージは何れも直方体形状の外観を有し、特に、ヒンジリッドパッケージのアウタボックスは、その長手方向に沿って延びる４つの角縁を有し、これら角縁は何れも直角である。それ故、ヒンジリッドパッケージは単純な外観形状を有し、嗜好品であるフィルタシガレットのためのパッケージとしてはその美観的に優れたものではない。【０００４】
それ故、ヒンジリッドパッケージにユニークな外観形状を提供するため、例えば、米国特許第6715605号に開示されたヒンジリッドパッケージが知られている。この公知のパッケージのアウタボックスは、４つの角縁の代わりに、小さな幅を有した４つの傾斜縁を含み、これら傾斜縁はアウタボックスの横断面を８角形状にする。【０００５】
このようなヒンジリッドパッケージの８角の外観形状は、フィルタシガレットの丸みを想起させ、フィルタシガレットのパックとして好適するものと考えられる。【０００６】
しかしながら、前述したヒンジリッドパッケージとは異なり、ソフトパッケージにはその外観形状が単なる直方体形状のものしか存在せず、美観的に優れたソフトパッケージが望まれている。【０００７】
本発明の目的は、直方体形状以外の外観を有する棒状喫煙物品のソフトパッケージ、また、このソフトパッケージに好適したインナ及びアウタラッパを提供することにある。
【発明の開示】
【０００８】
上記の目的を達成するため、本発明のソフトパッケージ（請求項１）は、略直方体形状をなし、棒状喫煙物品の束と、この束を包み込むインナラッパとからなるインナパックと、インナパックの上面を除き、インナパックを囲む略直方体形状をなし、インナパックの長手方向に沿って延びる４つのコーナ縁を含む、エンベロープとを備え、エンベロープはインナパックの回りにアウタラッパを折り込むことでそれぞれ形成され、エンベロープの横断面形状を８角にする前記コーナ縁としての傾斜縁と、インナパックの底面を覆う矩形のアウタ壁とを含む。具体的には、アウタ壁は、その両端に位置付けられた一対のエンドフラップと、その両側縁に沿って延び、エンドフラップに順次重ね合わされた台形形状の一対のサイドフラップと、各傾斜縁からそれぞれ延び、エンドフラップとサイドフラップとの間に部分的に挟み込まれ、且つ、サイドフラップから露出する折込みタックとを有する。
【０００９】
上述のソフトパッケージは８角形状の横断面を有することから、通常の直方体形状のソフトパッケージと比べて外観形状が異なり、通常のソフトパッケージとの明確な差別化を図ることができるばかりでなく、美観のうえで優れたものとなる。また、ソフトパッケージの横断面が８角であるので、ソフトパッケージはその内部に収容されている物品が棒状喫煙物品であることを強く想起させる。
【００１１】
また、上述の折込みタックは、エンベロープにおける傾斜縁の形状安定性を維持するうえで役立つばかりでなく、エンベロープのアウタ底面に通常のソフトパッケージでのアウタ底面とは明瞭に異なる独特な折込み形態を見せ、通常のソフトパッケージとの差別化に大きく寄与する。
【００１２】
好ましくは、インナパックもまたそのインナラッパの折込みにより、エンベロープの傾斜縁に対応した傾斜縁を有し、エンベロープと同様に８角の横断面形状を有するとともに（請求項２）、また、上面及び底面にエンベロープの折込みタックと同様に折込みタックを有する（請求項３）。この場合、インナパックの上面はエンベロープから露出しているので、その折込みタックを明瞭に現し、独特な折込み形態を視覚的にアピールする。
【００１３】
また、本発明は、上述したソフトパックのエンベロープ及びインナパックをそれぞれ形成するアウタラッパ(請求項４，５)及びインナラッパ（請求項６，７，８）を提供し、これらアウタ及びインナラッパは後述の説明から明らかになる。
【図面の簡単な説明】
【００１４】
【図１】一実施例のソフトパッケージを示した斜視図である。
【図２】図１のソフトパッケージが開かれた状態を示す斜視図である。
【図３】図１のソフトパッケージのインナパックを示した斜視図である。
【図４】インナパックに使用されるインナラッパの展開図である。
【図５】図４のインナラッパがシガレット束の回りにＵ字状に折り込まれた状態を示す斜視図である。
【図６】図５の状態からシガレット束に対するインナラッパの巻付けが完了し、インナラッパがチューブ状に形成された状態を示す図である。
【図７】シガレット束の端面から突出するインナラッパチューブの突出端の一部を示した図である。
【図８】図７の状態から突出端が部分的に折り込まれ、突出端の上下部分がサイドフラップとして形成された状態を示す図である。
【図９】図８の突出端を示した平面図である。
【図１０】サイドフラップがシガレット束の両端面から突出した状態を示す図である。
【図１１】サイドフラップの折込みにより、シガレット束の端面がインナパックの閉塞面（上面又は底面）により覆われた状態を示す図である。
【図１２】アウタラッパの展開図である。
【図１３】アウタラッパにより形成されたソフトパッケージの底面を示した図である。
【発明を実施するための最良の形態】
【００１５】
図１は一実施例のソフトパッケージを示す。
ソフトパッケージは、略直方体形状の外観を有したインナパック１０を含む。インナパック１０は、例えば２０本フィルタシガレットが３層に重ねられて形成された束と、このシガレット束を包み込むインナラッパとを有する。インナラッパにはアルミ蒸着紙が使用可能である。【００１６】
インナパック１０はその矩形の上面を除き、略直方体形状のエンベロープ１２により覆われている。即ち、エンベロープ１２は、前面、後面、２つの側面及び底面を有し、インナパック１０の回りにアウタラッパを折り込んで形成されている。【００１７】
ソフトパッケージはシール１４を含み、このシール１４はエンベロープ１２の前面からインナパック１０の上面中央を経てエンベロープ１２の後面に延び、これらエンベロープ１２及びインナパック１０に貼付けられている。
【００１８】
更に、ソフトパッケージは透明なフィルム１６を含み、フィルム１６はエンベロープ１２及びインナパック１０の上面を覆っている。フィルム１６は開封テープ１８を有し、この開封テープ１８はエンベロープ１２の上端部に位置付けられている。【００１９】
エンベロープ１２は、前面と各側面との間及び後面と各側面との間のそれぞれに傾斜縁２０を有する。これら４つの傾斜縁２０は小さな幅を有し、インナパック１０の長さ方向に沿い、エンベロープ１２の上端から底まで延びている。このような傾斜縁２０は、エンベロープ１２、即ち、ソフトパッケージの横断面を８角形状に形成する。【００２０】
図１のソフトパッケージからフィルタシガレットを取出すには、先ず、フィルム１６が開封テープ１８に沿って引き裂かれ、インナパック１０の上面を覆っていたフィルム１６の部位が取り除かれる。それ故、インナパック１０の上面が露出する。この後、インナパック１０の上面を形成するインナラッパの一部がシール１４を避けて破り取られ、図２に示されるようにインナパック１０の上面に開口２２が形成される。このような開口２２はシガレット束ＣＢの一部を露出させ、シガレット束ＣＢのフィルタシガレットＦＣは開口２２を通じて取り出される。【００２１】
エンベロープ１２は４の傾斜縁２０を有するので、本実施例のソフトパッケージは８角の横断面形状を有し、それ故、通常ソフトパッケージと比較して差別化した外観を提供する。【００２２】
傾斜縁２０を備えたエンベロープ１２は、ソフトパッケージの外観に丸みを帯びさせるので、ソフトパッケージの外観はフィルタシガレットの丸みを想起させ、この結果、フィルタシガレットに好適したソフトパッケージが提供される。【００２３】
図１及び図２に示されているように、インナパック１０もまた４つの傾斜縁２４を有する。これら傾斜縁２４はフィルタシガレットＦＣの長手方向に沿ってインナパック１０の上面から底面まで延び、そして、エンベロープ１２の対応する傾斜縁２０にそれぞれ重なり合っている。それ故、各傾斜縁２４の上端はインナパック１０の上面に露出し、インナパック１０がエンベロープ１２と同様に８角の横断面形状を有するものであることを明らかにする。この点でも、本実施例のソフトパッケージは通常のソフトパッケージと比べて大きく異なる外観形状を有し、通常のソフトパッケージに対する差別化をより明瞭にする。【００２４】
図３はインナパック１０の全体、即ち、インナラッパ２６の折込み形態を明瞭に示す。
インナパック１０の矩形の上面２８は、インナラッパ２６の折込みによりシガレット束の上端面を覆う閉塞面として形成されている。より詳しくは、上面２８は、その両端にそれぞれ位置付けられた一対のエンドフラップ３０と、これらエンドフラップ３０の上側に順次重ね合わされた台形形状の一対のサイドフラップ３２と、上面２８の各コーナに位置付けられた４つの折込みタック３４とを含む。各折込みタック３４はインナラッパ２６の対応する傾斜縁２４から延び、エンドフラップ３０とサイドフラップ３２との間に挟み込まれた先端と、サイドフラップ３２から露出した基端部とを有する。【００２５】
なお、インナパック１０の底面（図示しない）は、上面２８の場合と同様にインナラッパ２６を折り込むことにより、シガレット束ＣＢの下端面を覆う閉塞面として形成されている。【００２６】
図４は、インナラッパ２６の裏面を展開して示す。
図４から明らかなように、インナラッパ２６は、前述した傾斜縁２４及び閉塞面（上面２８及び底面）の形成を可能にするため、通常のインナラッパが備えていない折込み線を有する。【００２７】
より詳しくは、インナラッパ２６は、その中央に位置付けられた矩形のメインセクション３６と、このメインセクション３６の上下に隣接したアッパ及びロアセクション３８，４０とを含む。メインセクション３６、アッパ及びロアセクション３８，４０は同一の幅ＷＩＰを有する。この幅ＷＩＰはシガレット束ＣＢの周長よりも若干長い。それ故、インナラッパ２６がシガレット束ＣＢの回りに巻付けられたとき、インナラッパ２６の両側縁は互いに重ね合わされる。【００２８】
図４から明らかなように、メインセクション３６は長さＬ１を有し、アッパ及びロアセクション３８，４０は長さＬ２を有する。長さＬ１はシガレット束ＣＢ（フィルタシガレットＦＣ）の長さＬＣＢ（図５参照）に相当し、長さＬ２はシガレット束ＣＢの高さＨＣＢ（図６参照）よりも所定の長さだけ長い。【００２９】
メインセクション３６は破線で示されるように２本の帯領域４２Ｃと、２本の帯領域４２Ｓとを有し、これら帯領域４２Ｃ，４２Ｓはメインセクション３６の幅方向に所定の間隔を存して互いに離間する。シガレット束ＣＢがインナラッパ２６により包み込まれることにより、インナパック１０が形成されたとき、帯領域４２Ｃ，４２Ｓは前述した傾斜縁２４をそれぞれ形成する。【００３０】
より詳しくは、各帯領域４２は一対の山折り線４４から形成されており、これら山折り線４４はメインセクション３６の長さ方向に互いに平行に延びている。一対の山折り線４４間の間隔はフィルタシガレットＦＣの周長の１／４よりも若干広い。山折り線４４はインナラッパ２６の裏面に形成された圧痕線であり、インナラッパ２６に対し、その表面側に向けて突出する折り筋を作る。【００３１】
２本の帯領域４２Ｃはメインセクション３６の中央に配置され、これら帯領域４２Ｃの外側の山折り線４４間の間隔Ｗ１はシガレット束ＣＢの幅ＷＣＢ（図６参照）に相当する。２本の帯領域４２Ｃはメインセクション３６内にセンタ領域４６を区画し、２本の帯領域４２Ｓは、センタ領域４６の両側にそれぞれ配置されている。【００３２】
隣接する帯領域４２Ｓ，４２Ｃに関して、帯領域４２Ｓの外側の山折り線４４と帯領域４２Ｃの内側の山折り線４４との間の間隔Ｗ２は、シガレット束ＣＢの高さＨＣＢに相当する。帯領域４２Ｓの内側の山折り線４４とメインセクション３６の対応する側の外側縁との間の間隔Ｗ３は前述した間隔Ｗ１よりも短いものの、間隔Ｗ１の１／２よりも長い。従って、インナラッパ２６がシガレット束ＣＢの回りに巻付けられたとき、インナラッパ２６の両側縁は互いに重ね合わせ可能である。【００３３】
シガレット束ＣＢがインナラッパ２６により包み込まれたとき、アッパ及びロアセクション３８，４０はインナパック１０の上面２８及び底面をそれぞれ形成する。より詳しく、図４に示されるように、アッパセクション３８はインナパック１０の上面２８に前述した折込みタック３４を形成するため、４つの折込み線群４８Ｕをそれぞれ有する。これら折込み線群４８Ｕは帯領域４２にそれぞれ割り当てられており、２本ずつの山折り線５０及び谷折り線５２を含む。図４中、山折り線５０は破線で示され、これに対し、谷折り線５２は実線で示されている。谷折り線５２はインナラッパ２６の表面に形成された圧痕線であり、インナラッパ２６に対し、その裏面側に向けて突出する折り筋を作る。【００３４】
図４から明らかなように、各折込み線群４８Ｕにおいて、山折り線５０及び谷折り線５２はアッパセクション３８の幅方向に交互に配置され、そして、１本ずつ山折り線５０及び谷折り線５２が帯領域４２における各山折り線４４の終端からアッパセクション３８の上縁まで略Ｖ字状に延び、これら山折り線５０及び谷折り線５２はこれらの間にＶ字領域５４を区画する。従って、各折込み線群４８Ｕは２つのＶ字領域５４を有するが、これらＶ字領域５４は互いに交差することはない。また、２つのＶ字領域５４はこれらの間に帯状部分５６Ｃ，５６Ｓを区画し、これら帯状部分５６Ｃ，５６Ｓは帯領域４２Ｃ，４２Ｓの延長部分をそれぞれ形成する。【００３５】
更に詳しくは、帯状部分５６Ｃはアッパセクション３８の幅方向でみて中央側に向けて傾斜し、これに対し、帯状部分５６Ｓはアッパセクション３８の幅方向でみて外側に向けて傾斜する。また、帯状部分５６Ｃを形成する山折り線５０及び谷折り線５２の配置は、帯状部分５６Ｃに隣接した帯状部分５６Ｓを形成する山折り線５０及び谷折り線５２の配置と逆である。即ち、帯状部分５６Ｃの谷折り線５２はアッパセクション３８の幅方向でみて中央側に位置付けられ、これに対し、帯状部分５６Ｓの谷折り線５２はアッパセクション３８の幅方向でみて外側に位置付けられている。【００３６】
一方、図４から明らかなように、ロアセクション４０もまた前述した折込み線群４８Ｕと同様な折込み線群４８Ｌを有し、これら折込み線群４８Ｌは折込み線群４８Ｕと対称に配置されている。図４中、折込み線群４８Ｕの山折り線５０及び谷折り線５２に対応する折込み線群４８Ｌの山折り線及び谷折り線には同一の参照符号を附し、これらの説明を省略する。【００３７】
図４に示されるインナラッパ２６は、メインセクション３６とアッパセクション３８との間及びメインセクション３６とロアセクション４０との間をそれぞれ区画する山折り線６０，６２を有しているが、これら山折り線６０，６２は必要不可欠なものではない。【００３８】
次に、図５〜図１１を参照しながら、インナラッパ２６によるシガレット束ＣＢの包み込み手順、即ち、インナパック１０の形成手順を説明する。
先ず、インナラッパ２６のメインセクション３６のセンタ領域４６にシガレット束ＣＢが重ね合わされ、この後、図５に示されるようにインナラッパ２６はシガレット束ＣＢの回りにＵ字状に折り込まれる。この際、両帯領域４２Ｃの各山折り線４４がそれぞれ折り曲げられ、これら山折り線４４の折り曲げはインナラッパ２６に２本の傾斜縁２４を形成する。これら傾斜縁２４はシガレット束ＣＢの下部両側にそれぞれ位置付けられる。【００３９】
この後、Ｕ字形状をなすインナラッパ２６の両側縁側の部位がシガレット束ＣＢに向けて交互に折り込まれたとき、図６に示されるようにインナラッパ２６の両側縁は互いに重ね合わされる。それ故、この時点で、インナラッパ２６はシガレット束ＣＢの回りに完全に巻付けられ、チューブ形状に形成される。ここでの折込みは両帯領域４２Ｓの各山折り線４４を前記帯領域４２Ｃでの場合と同様に折り曲げ、シガレット束ＣＢの上部両側に残り２本の傾斜縁２４をそれぞれ形成する。【００４０】
インナラッパ２６のチューブは、シガレット束ＣＢの両端からそれぞれ突出する環状の突出部を有し、これら突出部はインナラッパ２６のアッパ及びロアセクションブ３８，４０により形成される。図７は突出部６４の一部を示す。【００４１】
アッパ及びロアセクション３８，４０は帯領域４２（傾斜縁２４）から延びる折込み線群４８を有しているので、これら折込み線群４８は環状の突出部６４の各コーナにそれぞれ位置付けられる。そして、突出部６４、即ち、傾斜縁２４が形成されたとき、この傾斜縁２４の形成がトリガとなって、突出部６４のコーナは折込み線群４８の山折り線５０及び谷折り線５２に沿って互いに逆向きに折り曲げられる。この結果、図７から明らかなように突出部６４のコーナは波形、即ち、扁平なＷ字形状に形成される。【００４２】
この後、図８中、２点鎖線で示されるような板状の一対の折込みタッカ６６がシガレット束ＣＢの対応する側の端面に沿って突出部６４の両側から突出部６４に向けてそれぞれ押し込まれたとき、図７でみて突出部６４の左右の側辺はシガレット束ＣＢの端面上に折り込まれる。【００４３】
ここでの折込みは、突出部６４からシガレット束ＣＢの端面に重ね合わされた一対のエンドフラップ３０と、上下のサイドフラップ３２とを形成し、そして、突出部６４の各コーナにて、山折り線５０及び谷折り線５２に沿う折り曲げを促進する。この結果、シガレット束ＣＢの端面に対する投影図でみたとき、図８及び図９に示されるように、折込みタック３４となる突出部６４の帯状部分５６はエンドフラップ３０と重なり合う。【００４４】
突出部６４における左右の側辺を確実に折り込むため、折込みタッカ６６の先端の幅Ｗｔ（図８）は、上下の折込み線群４８間の最短距離Ｗｎ（図４）に一致しているのが好ましい。【００４５】
この後、図１０中の矢印で示すように、上下のサイドフラップ３２がシガレット束ＣＢの対応する端面、即ち、左右のエンドフラップ３０に向けて交互に折り込まれる。これらサイドフラップ３２はエンドフラップ３０との間に前述した帯状部分５６を挟み込み、順次重ね合わされる。図１１に示されるように、帯状部分５６はエンドフラップ３０とサイドフラップ３２との間に介在する折込みタック３４を形成する。【００４６】
エンドフラップ３０、一対のサイドフラップ３２及び折込みタック３４はシガレット束ＣＢの対応する端面を覆う閉塞面を形成する。従って、インナパック１０は、上述した閉塞面からなる上面２８及び底面を有する。【００４７】
図１２は、前述したエンベロープ１２を形成するアウタラッパ６８の展開図を示す。
アウタラッパ６８は、前述したインナラッパ２６のメインセクション３６及びロアセクション４０と同様なメインセクション７０及びロアセクション７２を含む。それ故、図１２中、メインセクション３６及びロアセクション４０の帯領域４２及び折込み線群４８に対応するメインセクション７０及びロアセクション７２の帯領域及び折込み線群には同一の参照符号を付して、これらの説明は省略し、アウタラッパ６８がインナラッパ２６と相違する点のみを以下に説明する。【００４８】
アウタラッパ６８の場合、メインセクション７０の帯領域４２Ｃ，４２Ｓはメインセクション７０の幅方向に交互に配置されている。この理由は、アウタラッパ６８のオーバラップ部、即ち、アウタラッパ６８の両側縁の重ね合わせ部分がインナパック１０の後面ではなく、インナパック１０の片側の側面に位置付けられるためである。また、アウタラッパ６８の両側縁は互いに接着される。なお、アウタラッパ６８での幅ＷＯＰはインナラッパ２６での幅ＷＩＰよりも短く、それ故、アウタラッパ６８におけるオーバラップの幅はインナラッパ２６の場合に比べて狭い。【００４９】
帯領域４２Ｃ，４２Ｓが上述したように配置されていても、アウタラッパ６８がインナパック１０の回りに巻付けられたとき、各帯領域４２はエンベロープ１２のための傾斜縁２０をそれぞれ形成する。【００５０】
また、アウタラッパ６８のロアセクション７２により形成される環状の突出部は、前述した突出部６４での場合と同様にして折り込まれ、図１３に示すような閉塞面、即ち、エンベロープ１２の底面を形成する。この場合、エンベロープ１２の底面は、ロアセクション７２の各帯状部分５６により形成される折込みタック７４を有し、これら折込みタック７４もまたエンドフラップ３０とサイドフラップ３２との間に部分的に挟み込まれ、そして、サイドフラップ３２から露出している。【００５１】
エンベロープ１２の底面を形成する一対のサイドフラップ３２は互いに接着され、そして、インナパック１０の上面２８には前述したシール１４が貼り付けられる。【００５２】
本発明は上述の一実施例に制約されるものでなく、種々の変形が可能である。
例えば、一実施例の場合、エンベロープ１２及びインナパック１０は共に傾斜縁２０，２４をそれぞれ有するが、エンベロープ１２のみが傾斜縁２０を有していてもよい。この場合にも、ソフトパッケージは、８角の横断面形状を有することができる。【００５３】
また、シガレット束ＣＢを包み込むインナラッパ２６はアルミ蒸着紙に限らず、種々の包材を使用可能である。例えば、インナラッパはその内部に、湿気や芳香に対する遮断層を含むことができる。【００５４】
更に、インナパック１０の上面２８や底面、また、エンベロープ１２の底面を形成するインナラッパ及びアウタラッパの折込みは図示の形態に限られるものでもない。
【図１】
0004697891.tif 000002
【図２】
0004697891.tif 000003
【図３】
0004697891.tif 000004
【図６】
0004697891.tif 000005
【図７】
0004697891.tif 000006
【図８】
0004697891.tif 000007
【図９】
0004697891.tif 000008
【図１０】
0004697891.tif 000009
【図１１】
0004697891.tif 000010
【図１３】
0004697891.tif 000011
【図４】
0004697891.tif 000012
【図５】
0004697891.tif 000013
【図１２】
0004697891.tif 000014